(57)【要約】  群列状濾過装置は、原流体供給用主管路と濾過流体回収用主管路と、原流体供給用主管路と濾過流体回収用主管路の間に延びる少なくとも１つの濾過流路と、を含み、少なくとも１つの濾過流路の各々は、濾過流路上で構成される共通のマニホールドから同軸的に延びる１対のフィルタユニットを含む濾過アセンブリを有するように構成され、原流体供給用主管路と濾過流体回収用主管路と流体連通しており、フィルタユニットの各々は、平行に配置された複数のフィルタ部材を含む。【選択図】図５Ｂ
2013545610.tif 000002
【特許請求の範囲】
【請求項１】
原流体供給用主管路と濾過流体回収用主管路と、前記原流体供給用主管路と前記濾過流体回収用主管路の間に延びる少なくとも１つの濾過流路と、を含む群列状濾過装置において、少なくとも１つの濾過流路の各々が濾過アセンブリで構成され、前記濾過アセンブリは前記濾過流路上に構成される共通のマニホールドから同軸的に延びる１対のフィルタユニットを含み、前記原流体供給用主管路と前記濾過流体回収用主管路と流体連通し、前記フィルタユニットの各々が平行に配置された複数のフィルタ部材を含むことを特徴とする群列状濾過装置。
【請求項２】
原流体供給用主管路と濾過流体回収用主管路を含み、それらの間に配置された少なくとも１つの濾過アセンブリを有する群列状濾過装置において、前記少なくとも１つの濾過アセンブリの各々が、共通のマニホールドから半径方向に延び、前記原流体供給用主管路と前記濾過流体回収用主管路と流体連通して延びる、同軸的に延びる２つのフィルタユニットを含み、前記フィルタユニットの各々が平行に配置された複数のフィルタ部材を含むことを特徴とする群列状濾過装置。
【請求項３】
原流体供給用主管路と濾過流体回収用主管路の間に取り付けるための濾過アセンブリにおいて、前記濾過アセンブリが、前記原流体供給用主管路と前記濾過流体回収用主管路と流体連通するように構成された共通のマニホールドから同軸的に半径方向に延びる２つのフィルタユニットを含み、前記フィルタユニットの各々が、平行に配置された複数のフィルタ部材を含むことを特徴とする濾過アセンブリ。
【請求項４】
相互に実質的に平行に延び、実質的に垂直な平面を画定する原流体供給用主管路と濾過流体回収用主管路と、それらの間で濾過流路に沿って延びる少なくとも１つの濾過アセンブリと、を含む群列状濾過装置において、その各々が、前記原流体供給用主管路と前記濾過流体回収用主管路と流体連通するように構成された共通のマニホールドから同軸的に延びる、同軸的に延びる１対のフィルタユニットを含み、前記フィルタユニットの各々が、前記マニホールドを原流体供給用主管路と流体連通する入口チャンバと、濾過流体回収用主管路と流体連通する出口チャンバに分割する支持板から延びる、平行に配置された複数のフィルタ部材を含み、各フィルタ部材が、その濾材の片側が前記入口チャンバと前記出口チャンバの一方と流体連通し、前記濾材の他の側は前記入口チャンバと前記出口チャンバの別の方と流体連通することを特徴とする群列状濾過装置。
【請求項５】
請求項１〜４のいずれか１項に記載の群列状濾過装置において、前記濾過アセンブリにはマニホールドが収容され、これは原流体供給用主管路と濾過流体回収用主管路のうちの一方に連結するための入口ポートと、前記原流体供給用主管路と前記濾過流体回収用主管路のもう一方と連結するための出口ポートを有するように構成され、前記入口ポートは入口チャンバの中へと延び、前記出口ポートは前記入口チャンバから仕切られた出口チャンバから延びることを特徴とする群列状濾過装置。
【請求項６】
請求項１〜４のいずれか１項に記載の群列状濾過装置において、前記支持板が前記マニホールド内に、前記マニホールドの前記入口チャンバが各支持板のうち前記フィルタ部材の前記濾材の片側と流体連通する１つの側と流体連通し、前記マニホールドの前記出口チャンバが前記支持板のうち、それぞれの前記フィルタ部材の前記濾材の別の側と流体連通する別の側と流体連通するように着脱可能に固定されることを特徴とする群列状濾過装置。
【請求項７】
請求項１〜４のいずれか１項に記載の群列状濾過装置において、各濾過アセンブリが、同軸のカプセル状格納シェルとして構成される１対のフィルタユニットを含み、各フィルタユニットは、第一の向きに配置された複数のフィルタ部材と、反対の向きに設置された複数のフィルタユニットを収容するが、すべてのフィルタユニットの縦軸が相互に平行で、濾過流路の縦軸と交差するように延びることを特徴とする群列状濾過装置。したがって、前記２つの支持板は同軸的に、相互に対面して、ただし反対に延びる。
【請求項８】
請求項１〜４のいずれか１項に記載の群列状濾過装置において、前記カプセル状格納シェルが、前記マニホールドに着脱可能に取り付けられ、それらの間で支持板が交差し、それによって、前記格納シェルを取り外すと、前記支持板と、そこに関着されている関着濾過部材が露出することを特徴とする群列状濾過装置。
【請求項９】
請求項１〜４のいずれか１項に記載の群列状濾過装置において、前記マニホールドの縦軸が、前記原流体供給用主管路と前記濾過流体回収用主管路によって画定される平面内に延び、前記原流体供給用管路と前記濾過流体回収用主管路の縦軸と交差することを特徴とする群列状濾過装置。
【請求項１０】
請求項１〜４のいずれか１項に記載の群列状濾過装置において、前記群列状濾過装置の前記濾過アセンブリは、前記フィルタユニットの縦軸が、前記原流体供給用主管路と前記濾過流体回収用主管路によって画定され、それらの間に延びる平面に垂直に延びるように配置されることを特徴とする群列状濾過装置。
【請求項１１】
請求項１〜４のいずれか１項に記載の群列状濾過装置において、２つの隣接する濾過アセンブリ間の距離がフィルタユニットの軸の長さより短いことを特徴とする群列状濾過装置。
【請求項１２】
請求項１〜４のいずれか１項に記載の群列状濾過装置において、前記濾過流路が、前記原流体供給用主管路と前記濾過流路の前記マニホールドの間に延びる、排出管路との少なくとも１つの継手を有するように構成されることを特徴とする群列状濾過装置。
【請求項１３】
濾過アセンブリ用の支持板において、フィルタマニホールドに気密状態で取り付けるように構成された板状部を含み、前記板状部は、各々がフィルタ部材継手を有するように構成された複数のフィルタ部材開口部を有するように構成され、少なくとも１つの開口部が前記フィルタユニットのマニホールドの入口チャンバと出口チャンバの一方に気密状態で連結するように構成され、前記フィルタ部材開口部がマニホールドの前記入口チャンバと入口チャンバのもう一方の中へと開放していることを特徴とする支持板。
【請求項１４】
請求項１３に記載の支持板において、濾過アセンブリの同様の支持板に関着するように構成され、前記ハウジングを取り外した時に、前記支持板が前記関着された濾過部材とともに前記マニホールドに固定されたままであることを特徴とする支持板。
【請求項１５】
請求項１３に記載の支持板において、１つまたは複数の支持柱が、前記板状部の面から軸方向に延び、嵌合する支持板の支持柱に関着されるように構成されることを特徴とする支持板。
【請求項１６】
濾過アセンブリのマニホールドにおいて、１対のフィルタユニットを、原流体供給用主管路と濾過流体回収用主管路の間に延びる流路に連結されるように構成されたハウジングを含み、前記ハウジングが、前記原流体供給用主管路に連結されるように構成され、入口チャンバへと延びる入口ポートと、前記濾過流体回収用主管路に連結されるように構成され、前記入口チャンバから密閉された出口チャンバへと延びる出口ポートと、前記ハウジングの少なくとも一方の面に構成された支持板設置部と、フィルタユニットハウジングを前記マニホールドに気密状態に関着する連結装置と、を含むことを特徴とするマニホールド。
【請求項１７】
請求項１６に記載のマニホールドにおいて、前記入口ポートと前記出口ポートが実質的に同軸的に延びることを特徴とするマニホールド。
【請求項１８】
請求項１６に記載のマニホールドにおいて、前記フィルタユニット継手の縦軸が前記マニホールドの縦軸に対して実質的に垂直に延びることを特徴とするマニホールド。
【請求項１９】
請求項１６に記載のマニホールドにおいて、一体射出成形品として作製されることを特徴とするマニホールド。
【請求項２０】
請求項１４に記載の支持板において、前記主要入口ポートと前記主要出口ポートが、それぞれ前記原流体供給用主管路と前記濾過流体回収用主管路に直接的または間接的に連結されるように構成されることを特徴とする支持板。
【請求項２１】
請求項１４に記載の支持板において、前記フィルタユニット継手の縦軸が前記マニホールドの縦軸に対して実質的に垂直に延びることを特徴とする支持板。
【請求項２２】
請求項１４に記載の支持板において、前記入口チャンバが、前記入口ポートと前記出口ポートの間に延びる軸に対して実質的に垂直に延びることを特徴とする支持板。
【請求項２３】
２つの流路区間を同軸的に関着する継手において、前記継手が半円形の各端に接触面を有し、前記接触面が相互に実質的に平行に延びる２つの半円形二分割部分と、前記接触面に配置され、前記半円形二分割部分を相互に締結するように構成された連結装置と、を含み、各半円形二分割部分が、上側肩状部と下側肩状部を有するように構成され、各々が内側円錐壁面を有するように構成されることを特徴とする継手。
【請求項２４】
請求項２３に記載の継手において、前記内側円錐壁面が前記２つの流路区間のフランジ付部分の壁面に対応することを特徴とする継手。
【請求項２５】
請求項２３に記載の継手において、前記２つの流路区間の嵌合面間にシーリングガスケットが設置されていることを特徴とする継手。
【請求項２６】
請求項２３に記載の継手において、前記半円形二分割部分の間に、それらの間に半径方向に突出するアクチュエータの軸を受けるように構成された穴があることを特徴とする継手。
【請求項２７】
請求項２６に記載の継手において、前記穴が半径方向の軸の周囲に、前記継手の縦軸に対して垂直に延びることを特徴とする継手。
【請求項２８】
２つの流路区間を同軸的に関着するための継手において、前記継手が、第一の円形保持リングと第二の円形保持リングを含み、その各々が相互に締付固定されるように構成され、前記円形保持リングが、前記２つの流路区間の半径方向に外側に突出する肩状部と接触して担持するように構成されることを特徴とする継手。
【請求項２９】
請求項２８に記載の継手において、前記第一の保持リングと前記第二の保持リングがねじとボルトで一体に締付固定されるように構成されていることを特徴とする継手。
【請求項３０】
リング形状の流体旋回要素において、円筒形管部と、フランジ付保持要素と、円筒形管部の内壁から延び、中央の羽根ハブで集合する、半径方向に延びる複数の羽根を含むことを特徴とする流体旋回要素。
【請求項３１】
リング形状の流体旋回要素において、円筒形管部と、フランジ付保持要素と、円筒形管部の内壁から延び、中央の羽根ハブで集合する、半径方向に延びる、角度の付いた複数の羽根を含むことを特徴とする流体旋回要素。
【請求項３２】
請求項３０に記載の流体旋回要素において、前記羽根がその流れの縦軸の周囲で傾斜していることを特徴とする流体旋回要素。
【請求項３３】
請求項３２に記載の流体旋回要素において、流体流システムで使用されるように構成され、前記フランジ付保持要素が、油圧システムの２つの管状パイプセグメント間に締付により位置付けられるように構成されていることを特徴とする流体旋回要素。
【請求項３４】
請求項３０に記載の流体旋回要素において、まっすぐの羽根を有するように構成されていることを特徴とする流体旋回要素。
【発明の詳細な説明】
【技術分野】
【０００１】
本願の主題は、濾過システムに関する。本願の主題はさらに、濾過システムのための流体分配マニホールドおよび濾過アセンブリに関する。
【０００２】
本願の主題はまた、濾過システムにおいて有益な管継手と旋回部材にも関する。
【背景技術】
【０００３】
多種多様な流体濾過システムが入手可能であり、その中には、多重濾過システム、すなわち一体化された複数の濾過ユニットを含むシステムもある。
【０００４】
濾過システムの分野において考慮すべき重要事項は、このような濾過システムが占めるスペースと比較した有効濾過量（すなわち、濾過システムの濾過能力）や、その設置面積、すなわち濾過システムが占める有効面積である。
【０００５】
濾過システムの分野において考慮すべきまた別の重要事項は、システムに対して行われ得る修理と保守の容易さである。
【０００６】
上記およびその他の目的のために、小型の濾過システムおよびそのための流体連結部を設計することが求められている。
【発明の概要】
【０００７】
本願の主題の目的は、各々が複数のフィルタ部材で構成される複数の濾過アセンブリで構成される群列状濾過装置を提供することである。
【０００８】
本願の主題の第一の態様によれば、原流体供給用主管路と濾過流体回収用主管路と、前記原流体供給用主管路と濾過流体回収用主管路の間に延びる少なくとも１つの濾過流路と、を含む群列状濾過装置があり、少なくとも１つの濾過流路の各々は濾過アセンブリで構成され、これは前記濾過流路上に構成される共通のマニホールドから同軸的に延びる１対のフィルタユニットを含み、原流体供給用主管路と濾過流体回収用主管路と流体連通し、フィルタユニットの各々は平行に配置された複数のフィルタ部材を含む。
【０００９】
この群列状濾過装置は、原流体供給用主管路と濾過流体回収用主管路を含み、それらの間に少なくとも１つの濾過アセンブリがあり、前記少なくとも１つの濾過アセンブリの各々は、原流体供給用主管路と濾過流体回収用主管路と流体連通して延びる共通のマニホールドから延びる、２つの同軸的に延びるフィルタユニットを含み、フィルタユニットの各々は、平行に配置された複数のフィルタ部材を含む。
【００１０】
本願の主題のある態様はまた、原流体供給用主管路と濾過流体回収用主管路の間に取り付けるための濾過アセンブリに関し、前記濾過アセンブリは、原流体供給用主管路と濾過流体回収用主管路と流体連通するように構成された共通のマニホールドから同軸的に延びる２つのフィルタユニットを含み、フィルタユニットの各々は、平行に配置された複数のフィルタ部材を含む。
【００１１】
本願の主題によれば、相互に実質的に平行に延び、実質的に垂直な平面を画定する原流体供給用主管路と濾過流体回収用主管路と、それらの間で濾過流路に沿って延びる少なくとも１つの濾過アセンブリと、を含む群列状濾過装置が開示され、各々が、原流体供給用主管路と濾過流体回収用主管路と流体連通するように構成された共通のマニホールドから同軸的に延びる、同軸的に延びる１対のフィルタユニットを含み、フィルタユニットの各々は、マニホールドを原流体供給用主管路と流体連通する入口チャンバと濾過流体回収用主管路と流体連通する出口チャンバに分割する支持板から延びる、平行に配置された複数のフィルタ部材を含み、各フィルタ部材は、その濾材の片側が入口チャンバと出口チャンバの一方と流体連通し、濾材の別の側は入口チャンバと出口チャンバのもう一方と流体連通する。
【００１２】
以下の構成、特徴、設計のいずれか１つまたは複数を、本願の主題による群列状濾過装置の中に個別に、または１つまたは複数の組合せで組み込むことができる。
・濾過アセンブリにはマニホールドが収容され、マニホールドは原流体供給用主管路と濾過流体回収用主管路のうちの一方に連結するための入口ポートと、原流体供給用主管路と濾過流体回収用主管路のもう一方と連結するための出口ポートを有するように構成され、前記入口ポートは入口チャンバの中へと延び、前記出口ポートは前記入口チャンバから仕切られた出口チャンバから延びる。
・支持板がマニホールド内に、マニホールドの入口チャンバが各支持板のうちフィルタ部材の濾材の一方の側と流体連通する一方の側と流体連通し、マニホールドの出口チャンバがその支持板のうち、それぞれのフィルタ部材の濾材の別の側と流体連通する別の側と流体連通するように着脱可能に固定される。
・各濾過アセンブリは、同軸のカプセル状格納シェルとして構成される１対のフィルタユニットを含み、各フィルタユニットは、第一の向きに配置された複数のフィルタ部材と、反対の向きに設置された複数のフィルタユニットを収容するが、すべてのフィルタユニットの縦軸が相互に平行で、濾過流路の縦軸と交差するように延びる。したがって、２つの支持板は同軸的に、相互に対面して、ただし反対に延びる。
・カプセル状格納シェルは、マニホールドに着脱可能に取り付けられ、それらの間で支持板が交差し、それによって、格納シェルを取り外すと、支持板と、そこに関着されている関着濾過部材が露出する。特定の設計によれば、濾過部材が関着されている支持板は、ハウジングを取り外してもマニホールドに固定されている。
・支持板は、相互に関着されるか、他の例によれば、相互に一体化される。
・マニホールドの縦軸は、濾過流路と同軸的に延びる。
・マニホールドの縦軸は、原流体供給用主管路と濾過流体回収用主管路によって画定される平面内に延び、原流体供給用管路と濾過流体回収用主管路の縦軸と交差する。
・原流体供給用主管路と濾過流体回収用主管路は相互に実質的に平行に延びる。
・原流体供給用主管路と濾過流体回収用主管路は実質的に水平に延びる。
・マニホールドの縦軸は、実質的に垂直に延びる。
・群列状濾過装置は２つ以上の濾過アセンブリを含み、前記濾過アセンブリは、相互に実質的に平行に配置される。
・フィルタユニットの縦軸は濾過流路の縦軸と直角に、またはその他の角度で斜めに交差する。
・群列状濾過装置の濾過流路の縦軸は、相互に実質的に平行である。
・群列状濾過装置のマニホールドの縦軸は、相互に実質的に平行である。
・群列状濾過装置の濾過アセンブリは、フィルタユニットの縦軸が、原流体供給用主管路と濾過流体回収用主管路によって画定され、それらの間に延びる平面に垂直に延びるように配置される。
・２つの隣接する濾過アセンブリ間の距離はフィルタユニットの軸の長さより短い。
・濾過流路は、原流体供給用主管路と前記濾過流路のマニホールドの間に延びる、排出管路との少なくとも１つの継手を有するように構成される。
・濾過流路は、前記濾過流路のマニホールドの前および／または後に延びる栓を有するように構成される。
・濾過ユニットを濾過アセンブリから取り外して、カバープレートに交換し、残りのフィルタユニットが機能的に動作可能のままであるようにすることができる。
【００１３】
本願の主題の他の態様は、前述のような濾過ユニットのための支持板に関する。本願による支持板は、フィルタユニットのマニホールドの中に気密状態に取り付けるように構成された板状部を有し、前記板状部は、各々がフィルタ部材継手を有するように構成された複数のフィルタ部材用開口部を有するように構成される。
【００１４】
板状部は、フィルタ部材を支持するように構成された濾過面を有する。
【００１５】
支持板は、フィルタユニットのマニホールドの入口チャンバと出口チャンバの一方と気密状態に連結されるように構成された少なくとも１つの開口部を有するように構成され、フィルタ部材の開口部は、マニホールドの入口チャンバと出口チャンバのもう一方へと開放する。
【００１６】
１つの特定の例によれば、フィルタ部材は、ねじ連結または差し込み連結によって、ただし実質的に気密状態で支持板に関着される。フィルタ部材の継手は開口部内の雌ねじとして構成できる。
【００１７】
濾過アセンブリ内の２つの支持板は同じであり、鏡面対称の向きに配置される。
【００１８】
支持板は、濾過アセンブリの同様の支持板に関着されるように構成され、これによって、支持板は関着された濾過部材とともに、ハウジングを外してもマニホールドに固定されたままとなる。一例によれば、支持板は、軸方向に延び、たとえばねじ連結によって嵌合相手の支持板の支持柱に関着されるように構成された１つまたは複数の支持柱を有するように構成される。
【００１９】
板状部の周囲は、１つまたは複数のシーリングガスケットを支持するように構成される。
【００２０】
本願の他の態様は、濾過アセンブリのマニホールドに関する。このマニホールドは、１対のフィルタユニットを、原流体供給用主管路と濾過流体回収用主管路の間に延びる流路に連結するように構成されたハウジングを含み、前記ハウジングは、原流体供給用主管路に連結されるように構成され、入口チャンバへと延びる入口ポートと、濾過流体回収用主管路に連結されるように構成され、前記入口チャンバから密閉された出口チャンバへと延びる出口ポートと、ハウジングの少なくとも一方の面に構成された支持板設置部と、フィルタユニットハウジングをマニホールドに気密状態に関着する連結装置と、を含む。
【００２１】
以下の構成、特徴、設計のいずれか１つまたは複数を、本願の主題によるマニホールドの中に個別に、または１つまたは複数の組合せで組み込むことができる。
・入口ポートと出口ポートは実質的に同軸的に延びる。
・フィルタユニット継手の縦軸はマニホールドの縦軸に対して実質的に垂直に延びる。
・マニホールドは、一体射出成形品として作製される。
・主要入口ポートと主要出口ポートは、それぞれ原流体供給用主管路と濾過流体回収用主管路に直接的または間接的に連結されるように構成される。
・フィルタユニットの縦軸は、マニホールドの縦軸に対して実質的に垂直に延びる。
・入口チャンバは、入口ポートと出口ポートの間に延びる軸に対して実質的に垂直に延びる。
【００２２】
本願の主題のまた別の態様は、隣接する構成要素のいずれか２つの軸方向流路区間間の連結装置に関する。
【００２３】
継手は、半円形の各端に接触面を有し、前記接触面が相互に実質的に平行に延びる２つの半円形二分割部分と、前記接触面に配置され、半円形二分割部分を相互に締結するように構成された連結装置と、を含み、各半円形二分割部分は、上側肩状部と下側肩状部を有するように構成され、各々が内側円錐壁面を有するように構成される。
【００２４】
内側円錐壁面は、２つの流路区間のフランジ部の壁面に対応する。
【００２５】
連結装置は、１つまたは複数のねじ固定具または高速開放機構、またはトグルロック等である。
【００２６】
継手は成形材料、たとえばポリマ材料で作製される。
【００２７】
シーリングガスケットを、２つの流路区間の嵌合面間に設置できる。シーリングガスケットは油圧ガスケットとすることができ、ガスケット受容溝が継手と２つの流路区間の一方または両方に構成される。
【００２８】
特定の実施形態によれば、バルブとアクチュエータと一体化されたバルブ一体型継手が提供され、この継手は２つの半円形二分割部分であって、各端に接触面を有し、前記接触面が相互に実質的に平行に延びる半円形二分割部分と、前記接触面に配置され、半円形二分割部分を相互に締結するように構成された連結装置と、を含み、各半円形二分割部分は、各々が内側円錐壁面を有するように構成された上側肩状部と下側肩状部を有するように構成され、半円形二分割部分間に、それらの間に半径方向に突出するアクチュエータの軸を受けるように構成された穴があり、前記アクチュエータは継手内のバルブゲートと外部アクチュエータの間に延びる。
【００２９】
本願の主題による継手のまた別の例によれば、第一の円形保持リングと第二の円形保持リングを含むフランジ継手が提供され、その各々は、相互に締付固定されるように構成され、前記円形保持リングは、２つの流路区間の半径方向に外側に突出する肩状部と接触して担持するように構成される。
【００３０】
２つの流路区間間は、対面接触密着か、または２つの流路区間のフランジ付端の対面するヘッド面間の接続部に配置されたシーリングガスケットによって気密状態に連結することができる。
【００３１】
第一の保持リングと第二の保持リングは、ねじとボルトで相互に締付固定されるように構成される。
【００３２】
本願によれば、流体流システムで使用されるように構成された流体旋回要素が開示される。流体旋回要素はリング状の形を有し、円柱形管部と、フランジ付保持要素と、円筒形管部の内壁から延び、中央の羽根ハブで集合する、半径方向に延びる、角度の付いた複数の羽根と、を含む。
【００３３】
フランジ付保持要素は、油圧システムの２つの管状パイプセグメント間に締付により位置付けられるように構成されている。
【００３４】
フランジ付保持要素は、複数のリブまたは、その底部に円周方向に設置された補強リムによって補強することができる。
【００３５】
さらに、油圧旋回部材は、本願の主題による濾過アセンブリの配管内に設置してもよい。
【００３６】
当然のことながら、以下の例におけるフィルタユニットはどのような種類の濾材であってもよく、たとえば、フィルタディスクの積層体、フィルタスクリーン（すなわち、微細マッシュ状素材）またはスレッド型シリンダがある。
【００３７】
また、流体はあらゆる流動可能な物質、すなわち気体または液体として定義され、その目的、汚染の度合い、粒径、粘度、圧力またはその他のパラメータを問わない。したがって、本明細書と特許請求の範囲において、流体という用語はその最も広い意味で使用される。
【００３８】
原流体とは濾過対象の流体（気体または液体）を指し、すすぎ用流体とは、フィルタユニットまたは濾材または、フィルタアセンブリのその他の構成要素のすすぎ／フラッシングに使用される流体（気体または液体）を指す。場合により、濾過流体がすすぎ用流体の役割を果たすことに留意する。濾過流体とは、濾過工程の後、すなわち粒子と汚染物質を除去した後に得られる流体／液体を指す。
【００３９】
入口ポートと出口ポートはそれぞれ、複数の機能を果たしてもよい。たとえば、特定のポートは、ある段階では原流体入口ポートとして機能してもよく、他の段階では廃棄流体排出／すすぎ出口ポートとして機能してもよい。
【図面の簡単な説明】
【００４０】
本願の主題の異なる態様を理解し、実際にどのように実施できるかを知るために、以下に、添付の図面を参照しながら、あくまでも非限定的な例として実施形態を説明する。
【００４１】
【図１】図１は、本願の主題による群列状濾過装置の斜視図である。
【図２】図２は、図１の群列状濾過装置の正面図である。
【図３】図３は、図１の群列状濾過装置の上面図である。
【図４Ａ】図４Ａは、図１の群列状濾過装置の側面図である。
【図４Ｂ】図４Ｂは、図２の線ＩＶ−ＩＶに沿った断面図である。
【図５Ａ】図５Ａは、図４Ｂに示される濾過ユニットの拡大断面図である。
【図５Ｂ】図５Ｂは、図５Ａの等角投影図である。
【図６】図６は、図１の群列状濾過装置で使用される支持板の斜視図である。
【図７】図７は、図１のフィルタユニット群列で使用されるマニホールドの斜視図である。
【図８Ａ】図８Ａは、本願の主題の他の態様による、２つの軸方向の管状流路区間間の連結装置に関し、第一のタイプの継手に関する。
【図８Ｂ】図８Ｂは、本願の主題の他の態様による、２つの軸方向の管状流路区間間の連結装置に関し、第一のタイプの継手に関する。
【図８Ｃ】図８Ｃは、本願の主題の他の態様による、２つの軸方向の管状流路区間間の連結装置に関し、図８Ａと図８Ｂの例による、油圧ガスケットを備える継手に関する。
【図８Ｄ】図８Ｄは、本願の主題の他の態様による、２つの軸方向の管状流路区間間の連結装置に関し、他のバルブ一体型継手に関する。
【図８Ｅ】図８Ｅは、本願の主題の他の態様による、２つの軸方向の管状流路区間間の連結装置に関し、他のバルブ一体型継手に関する。
【図８Ｆ】図８Ｆは、本願の主題の他の態様による、２つの軸方向の管状流路区間間の連結装置に関し、また別の種類の継手に関する。
【図８Ｇ】図８Ｇは、本願の主題の他の態様による、２つの軸方向の管状流路区間間の連結装置に関し、また別の種類の継手に関する。
【図９Ａ】図９Ａは、油圧回分部材の斜視図である。
【図９Ｂ】図９Ｂは、図９Ａの旋回部材の平面図である。
【図９Ｃ】図９Ｃは、旋回部材を収容する２つの流路区間間の連結部の断面図である。
【発明を実施するための形態】
【００４２】
まず図１〜図５Ｂを参照すると、本願の主題のある態様による群列状濾過装置２０が示されている。群列状濾過装置２０は、相互に実質的に平行に延び、協働して設置面から実質的に垂直に延びる平面を画定する原流体供給用主管路２２と濾過流体回収用主管路２４を含む。しかしながら、他の構成（図示せず）によれば、原流体供給用主管路と濾過流体回収用主管路の延び方はこれと異なっていてもよく、それらの間に適当なコネクタ／連結要素が延びる。
【００４３】
図に示されているように、群列状濾過装置２０は、前記原流体供給用主管路２２と前記濾過流体回収用主管路２４の間に平行に延びる複数の濾過アセンブリ３０（この例では３つ示されている）を含み、前記濾過アセンブリ３０の各々は、カプセル状ハウジング３８の中に配置された、平行に延びる複数のフィルタユニット３４（図５Ａと５Ｂ）を含む。図からわかるように、ハウジング３８は、その縦軸Ｂが相互に実質的に平行に、それぞれ主管路２２と２４の縦軸Ｘに垂直に延びるように延びている。濾過アセンブリ３０は、その縦軸Ｂが、原流体供給用主管路２２と濾過流体回収用主管路２４の間に画定される平面と直角に（図示）、またはある角度（図示せず）で交差するように配置することができる。
【００４４】
当然のことながら、以下の説明におけるフィルタユニットはどのような種類の濾材であってもよく、たとえば、フィルタディスクの積層体、フィルタスクリーン（すなわち、微細マッシュ状素材）またはスレッド型シリンダ等がある。
【００４５】
濾過アセンブリ３０の各々は、相互接続入口パイプ４０を介して原流体供給用主管路２２に、また、相互接続出口パイプ４２を介して濾過流体回収管路２４に連結され、前記相互接続入口パイプ４０と相互接続出口パイプ４２は実質的に同軸的に、直立方向に（実質的に垂直に）延び、原流体供給用主管路２２と濾過流体回収管路２４と直角に交差する。
【００４６】
群列状濾過装置２０は、その構成のまま保持され、システムを丈夫に、不動の向きに保つように構成された複数の支持手段５０によって支持され、その目的のためにいくつかの支持手段が群列状濾過装置の長さに沿って設置されている。
【００４７】
支持手段５０は、設置面に設置し、または支持されるための広い基底部を有する設置面係合部５２と、相互に実質的に平行に、設置面から実質的に垂直に延びる供給管路支持部５４と回収管路支持部５６を含む。
【００４８】
支持手段５０の各々は、相互に固定され、それゆえ原流体供給用主管路２２と濾過流体回収用主管路２４を補強する対称部材５６Ａと５６Ｂから構成される。
【００４９】
ここで、図４〜図７も参照する。カプセル状ハウジング３８が右チャンバ６０と左チャンバ６２に分割され、相互に鏡像関係にあることがわかる。ハウジング３８は、中央マニホールド６６（図７）に固定された右側シェル６８と左側シェル７０を含み、前記連結は、１つの特定の例により、保持連結リング７６を介して容易に行われているが、他の連結装置も使用でき、たとえば、ねじ式、ねじ連結式等がある。
【００５０】
マニホールド６６は、相互接続入口パイプ４０から延びて入口チャンバ８２の中に延びる入口ポート８０を含み、さらに、マニホールド６６は、相互接続出口パイプ４２に連結されるように構成され、マニホールド６６の出口チャンバ８８から延びる出口ポート８６を含み、前記入口チャンバ８２と出口チャンバ８８は仕切り壁９２によって相互から仕切られている。
【００５１】
特定の例において、マニホールド６６の入口ポート８０と出口ポート８６が濾過アセンブリ３０の各々の縦軸Ｓと同軸的に延びるＴ（図７）で示される共通の縦軸に沿って延びていることがわかる。
【００５２】
マニホールド６６の各側に、フィルタ連結板９６（図６）が取り付けられ、これは、溝９８の中に埋め込まれたシーリングガスケットによって気密状態にマニホールド６６をしっかりと保持し、バンド７６によって共に圧迫される。板９６の各々は、そこにフィルタユニット３４を気密状態にねじ連結するための複数のフィルタユニット保持穴１０２を有するように構成され、さらに、前記板９６は、相互に対向する支持手段１０６を有するように構成され、それゆえ、同様の連結板９６に対面する向きで、気密状態に保持する（図５Ａ、５Ｂ）ためのねじ連結穴１０８を有するように構成される。
【００５３】
上記の例の変形版によれば、板９６はマニホールド６６と一体であるか、それと一体化される。このような構成によって、マニホールド６６とねじ連結装置を用いた密閉装置は冗長的となる。
【００５４】
この構成は、入口ポート８０を流れる流体が、板９６に形成された開口部１１２を介してそれぞれのチャンバ６０と６２に流れるというものであり、原流体はユニット３４を通って流れ、濾過ユニット３４の中で濾過されたところで、フィルタユニット３４の各々の中央穴１１６の中へと流れ、そこからマニホールド６６の出口チャンバ８８の中へと広がり、その後、出口ポート８６を通り、相互接続出口管４２を通過して、濾過回収用主管路２４を通じて排出される。
【００５５】
ここで、図８Ａ〜図８Ｇを参照すると、パイプ部材を連結するための異なる連結システムが示されている。当然のことながら、本願の主題は特定の流体システムまたは配管システムに限定されず、これらは例示のために提案されている。
【００５６】
図８Ａはヘッダパイプ１５０と、ヘッダパイプ１５０と９０°を成すように形成されるブランチパイプ１５２を示す。ブランチパイプ１５２は第二のパイプ１５６に継手１６０によって固定され、前記継手はたとえばプラスチック材料で作製されるが、他の好適な材料、たとえば金属で製造することもできる。
【００５７】
継手１６０は、半円の各端に接触面１６２があり、前記接触面が相互に実質的に平行に延びる２つの半円形二分割部分と、表面１６２に形成された穴１６４と、を含み、それによって、二分割部分を共にその接触面１６２に固定するために、ボルトを穴１６４の中に挿入できる。
【００５８】
図８Ｂは、図８Ａの連結システムの縦方向の断面図を示す。ブランチパイプ１５２は、ネック部１６６を含み、円錐／テーパ形状の外側壁面１７２を持つフランジ付端１６８を有するように構成されている。同様に、第二のパイプ１５６は、外側の円錐／テーパ形壁面１７８を持つフランジ付端１７６を有するように構成され、それに加えて、フランジ１７６の面にはシーリングガスケット（Ｏリング、図示せず）を受けるための環状溝１８０がある。
【００５９】
プラスチック継手１６０は、外側壁面１７２の形状と一致する内側円錐壁面１８６を有する上側肩状部１８４と、外壁１７８の形状と一致する内側円錐壁面２００を有する下側肩上部１８８をさらに含む。プラスチック継手１６０の２つの二分割部分が支管１５２と第二の管１５６の間の接合部に取り付けられると、内側円錐壁面１８６と２００はそれぞれ外側壁面１７２と外側壁１７８と係合し、二分割部分はボルトを締めることによって圧縮され、それゆえ、フランジ１７６とフランジ付端１６８は相互に圧迫され、２つのパイプは気密状態に、ただし着脱可能に接合部に接合される。
【００６０】
環状溝１８０（フランジ付端の一方または両方で形成される）はシーリングガスケットを受けるように構成される。
【００６１】
図８Ｃは、図８Ａと図８Ｂに関して説明した構成と同様の油圧継手１６０’を示しているが、これには油圧ガスケット１８１が、前の例において受けられていたＯリングの代わりに設けられている。油圧ガスケット１８１を設けるために、管状要素１５６’と１６６’のそれぞれフランジ付端１７６’と１６８’は、それぞれ対面する環状溝１６７と１６９を有するように構成され、これらは共に油圧ガスケット１８１用の設置部を形成する。
【００６２】
図８Ｄと図８Ｅは、たとえばパイプ接合部に一体型のバルブを接続する際に使用される、図８Ａと図８Ｂに関して説明した種類の継手のバルブ一体型継手２１０を示す。それゆえ、この継手はバルブゲート（栓：継手の中に延びているため、図では見えない）と一体化され、アクチュエータアーム２２４が継手から延び、外側のアクチュエータ２１２に関着される。前述の締付固定システムに加えて、バルブ受容継手２１０は、バルブ受容継手２１０の２つの二分割部分２１８と２２０の接合部に穴２１６が形成され、そこを通ってアクチュエータ２１２の接続アーム２２４が延び、アクチュエータが関連するバルブに取り付けられるように構成される。
【００６３】
バルブ受容継手２１０の半円形二分割部分２１８と２２０の各々の端に、それぞれ接触面２２６と２２８が設けられ、これは、継手２１０の二分割部分を前述の例と同様に固定するために使用されるボルトを挿入する穴２３０を有する。しかしながら、継手の二分割部分を相互に締め付けるために異なる固定装置も構成でき、たとえばその中にボルトを螺合させるねじ穴、トグルクランプ等があるがこれらは図示されていない。
【００６４】
図８Ｆと８Ｇは、２つのパイプ２７２と２７４の接合部に取り付けられたフランジ付継手２５０を示す。フランジ付継手２５０は、上側円形保持リング２５２と下側円形保持リング２５４を含み、その各々はそれぞれ一連の穴２５６と２５８を有し、これらはボルト２６２を介してそれぞれのリングを締付固定するために設けられている。円形リング２５２はパイプ２７２のフランジ付端２７０の上に設置され、円形リング２５４はパイプ２７４のフランジ付端２５４の付近にある。ボルト２６２を絞めると、２つのパイプ２７２と２７４が相互に固定され、締め付けられる。これに加えて、ガスケット２８２は、フランジ付端２７０と２７８の対面するヘッド面間の接続部に導入され、気密状態で係合させることが可能となる。しかしながら、当然のことながら、嵌合表面間の適当な表面品質により、対面接触密閉を実現できる。
【００６５】
次に、流体流システムでの使用に適した流体旋回要素３００に関する図９Ａと９Ｂを参照する。流体旋回要素３００は一般に、円筒形管部３０４とフランジ要素３０８を含むリング形状を有し、これはフランジ要素３０８の周囲に円周方向に設置され、それを円筒形管部３０４の上で支持するための支持用リブまたは補強リム３１０によって補強されている。円筒形管部３０４の内部には、円筒形のパイプ３１６の内壁から延び、中央の羽根ハブ３２０に集合するように半径方向に配置された、半径方向に延びる、角度の付いた複数の羽根３１４（この例では５枚）が構成されている。特定の例において、中央の羽根ハブ３２０は水力学的な形状であり、その周辺の流体流のパターンをできるだけ干渉しない。しかしながら、当然のことながら、その他のハブの構成も可能であり、または半径方向に同じ広さに広がる羽根とともに全て取り除いてもよい（図示せず）。
【００６６】
図９Ｃは、２つのパイプ要素３３０と３３２の接合部に挿入され、連結システム、たとえば上述８のシステムのいずれかによって相互に固定される流体旋回要素３００を示す。流体旋回要素３００のフランジ要素３０８は、パイプ要素３３０のフランジ端３３８に構成された円周方向の溝３３６の中に設置され、それゆえ連結システムを絞めると固定される。しかしながら、当然のことながら、円周方向の溝は、パイプ要素３３０と３３２のフランジ付端の一方または両方に構成できる。
【００６７】
しかしながら、当然のことながら、旋回要素の付近において、２つのパイプセグメント間に、たとえばＯリング、油圧ガスケット等の追加の密閉装置を構成することもできる。
【００６８】
流体が流体旋回要素３００の角度の付いた羽根３１４を通過する際、流体が流体旋回要素３００から出る時に、その流体内に渦流運動が発生する。渦流運動により発生する遠心力が、流体内に存在する重い粒子を付勢して、フィルタ入口パイプの壁付近に集め、それゆえ、重い粒子がフィルタシステムに入る主流から分離される。
【００６９】
他の例（図示せず）によれば、旋回要素はまっすぐの、すなわち流れの縦軸に関して傾斜していない羽根を有するように構成でき、これは整流装置として機能する。また別の例によれば、旋回要素から羽根をすべてなくしてもよく、それゆえ、連結された２つのパイプセグメント間のギャップ平滑化装置として機能し、その結果、流体抗力が軽減され、または実質的に除去される。
【００７０】
当然のことながら、図８Ａ〜８Ｃに関する開示の変形版によれば、羽根はどの方向に延ばすこともでき、たとえば縦軸（流れの軸）に平行としてもよく、その結果、これは流量調整器の役割を果たす。
【図１】
2013545610.tif 000003
【図２】
2013545610.tif 000004
【図３】
2013545610.tif 000005
【図４Ａ】
2013545610.tif 000006
【図４Ｂ】
2013545610.tif 000007
【図５Ａ】
2013545610.tif 000008
【図５Ｂ】
2013545610.tif 000009
【図６】
2013545610.tif 000010
【図７】
2013545610.tif 000011
【図８Ａ】
2013545610.tif 000012
【図８Ｂ】
2013545610.tif 000013
【図８Ｃ】
2013545610.tif 000014
【図８Ｄ】
2013545610.tif 000015
【図８Ｅ】
2013545610.tif 000016
【図８Ｆ】
2013545610.tif 000017
【図８Ｇ】
2013545610.tif 000018
【図９Ａ】
2013545610.tif 000019
【図９Ｂ】
2013545610.tif 000020
【図９Ｃ】
2013545610.tif 000021
【国際調査報告】
2013545610.tif 000022
2013545610.tif 000023
2013545610.tif 000024
2013545610.tif 000025
2013545610.tif 000026
2013545610.tif 000027